(57)【特許請求の範囲】
【請求項１】
複数の増幅器と、
前記増幅器の信号経路にそれぞれ接続された高周波部品と、
前記高周波部品に接続された減衰器とを有し、
前記減衰器は、複数の前記高周波部品に接続されており、
前記高周波部品は、サーキュレータ、分配器、及び合成器のうちの少なくとも一つである
増幅装置。
【請求項２】
前記高周波部品は終端用端子を備え、前記減衰器は前記終端用端子を介して、前記高周波部品と接続している、請求項１に記載の増幅装置。
【請求項３】
前記減衰器は、前記複数の増幅器の間に配置されている、請求項１又は請求項２に記載の増幅装置。
【請求項４】
前記複数の増幅器が、第１増幅器及び第２増幅器を有し、
前記第１増幅器は、第１信号を入力して増幅する第１アンプと、第２信号を入力して増幅する第２アンプとを有し、
前記第２増幅器は、第３信号を入力して増幅する第３アンプと、第４信号を入力して増幅する第４アンプとを有し、
前記第１増幅器の信号経路に接続され、入力信号を前記第１信号及び前記第２信号に分配する第１分配器と、前記第１アンプの出力と前記第２アンプの出力とを合成する第１合成器と、
前記第２増幅器の信号経路に接続され、入力信号を前記第３信号及び前記第４信号に分配する第２分配器と、前記第３アンプの出力と前記第４アンプの出力とを合成する第２合成器とをさらに備える、請求項１乃至請求項３のいずれか一つに記載の増幅装置。
【請求項５】
前記第１分配器と前記第２分配器に接続された減衰器とをさらに有する、請求項４に記載の増幅装置。
【請求項６】
前記第１合成器と前記第２合成器に接続された減衰器とをさらに有する、請求項４に記載の増幅装置。
【請求項７】
前記複数の増幅器が、第１増幅器及び第２増幅器を有し、
前記第１増幅器は、第１信号を増幅する第１ピークアンプと、第２信号を増幅する第１キャリヤアンプとを有し、
前記第２増幅器は、第３信号を増幅する第２ピークアンプと、第４信号を増幅する第２キャリヤアンプとを有し、
前記第１増幅器の信号経路に接続され、入力信号を前記第１信号及び前記第２信号に分配する第１分配器と、前記第１キャリヤアンプの出力の位相を調整する第１位相調整器と、前記第１ピークアンプの出力と前記第１位相調整器の出力とを合成する第１インピーダンス変換器と、
前記第２増幅器の信号経路に接続され、入力信号を前記第３信号及び前記第４信号に分配する第２分配器と、前記第２キャリヤアンプの出力の位相を調整する第２位相調整器と、前記第２ピークアンプの出力と前記第２位相調整器の出力とを合成する第２インピーダンス変換器とをさらに備える、請求項１乃至請求項３のいずれか一つに記載の増幅装置。
【請求項８】
前記第１分配器と前記第２分配器に接続された減衰器とをさらに有する、請求項７に記載の増幅装置。
【請求項９】
前記複数の増幅器が、第１増幅器及び第２増幅器を有し、
前記第１増幅器は、第１信号を増幅する第１キャリヤアンプと、第２信号を増幅する第１ピークアンプとを有し、
前記第２増幅器は、第３信号を増幅する第２キャリヤアンプと、第４信号を増幅する第２ピークアンプとを有し、
前記第１増幅器の信号経路に接続され、入力信号を前記第１信号及び前記第２信号に分配する第１分配器と、前記第１ピークアンプの出力の位相を調整する第１位相調整器と、前記第１キャリヤアンプの出力と前記第１位相調整器の出力とを合成する第１インピーダンス変換器と、
前記第２増幅器の信号経路に接続され、入力信号を前記第３信号及び前記第４信号に分配する第２分配器と、前記第２ピークアンプの出力の位相を調整する第２位相調整器と、前記第２キャリヤアンプの出力と前記第２位相調整器の出力とを合成する第２インピーダンス変換器とをさらに備える、請求項１乃至請求項３のいずれか一つに記載の増幅装置。
【発明の詳細な説明】
【技術分野】
【０００１】
本発明は、増幅装置に関し、特に複数系統の高周波増幅器を備えた増幅装置に関する。
【背景技術】
【０００２】
無線通信装置では、送信装置の出力段にアイソレータ或いはサーキュレータを具備することが行なわれている。アイソレータ或いはサーキュレータは、入力端子、出力端子及び終端用端子を備えている。入力端子は送信装置に接続され、出力端子はアンテナなど送信装置の外部機器に接続され、終端用端子には減衰器が接続される。送信装置はアイソレータ或いはサーキュレータを経由してアンテナから信号を送信する。【０００３】
送信装置の出力端に接続される外部構成との間での高周波的な不整合により、出力端から増幅器に反射し戻ってくる信号は、アイソレータ或いはサーキュレータの出力端子から終端用端子を経て減衰器へ送られて、減衰する。出力端から増幅器に反射し戻ってくる信号は、送信装置の出力段にアイソレータ或いはサーキュレータを配置して、その終端用端子に高周波減衰器を配置して対処することが一般的である。特許文献１には、このような出力段にアイソレータ或いはサーキュレータを具備した送信装置が記載されている。
【先行技術文献】
【特許文献】
【０００４】
【特許文献１】特開２０００−９１９４３号公報
【発明の概要】
【発明が解決しようとする課題】
【０００５】
ところで、近年のブロードバンド通信システムでは、送信ダイバーシティやMIMO(Multi Input Multi Output)など複数の送信系統を使用する場合が多い。複数の送信系統を実現する場合、背景技術で説明した関連する増幅装置では、それぞれ独立した送信系統を必要としていた。この中で増幅器も必要な系統数の増幅器を準備する必要がある。そのため、（部品点数）＝（１系統あたりの部品数）×（系統数）となり、装置が大型化するという課題があった。【０００６】
本発明の目的は、複数の送信系統を備えた送信機に用いられる増幅装置は、部品点数が増大し、装置が大型化する、という課題を解決する増幅装置を提供することにある。
【課題を解決するための手段】
【０００７】
前記目的を達成するため、本発明に係る増幅装置は、複数の増幅器と、前記増幅器の信号経路にそれぞれ接続された高周波部品と、前記高周波部品に接続された減衰器とを有し、前記減衰器は、複数の前記高周波部品に接続されている。
【発明の効果】
【０００８】
本発明の増幅装置によれば、複数の送信系統を備えた送信機に用いられる場合であっても、部品の点数の増大を抑制し、装置の小型化を図ることができる。
【図面の簡単な説明】
【０００９】
【図１】本発明の第１実施形態に係る増幅装置の構成を示すブロック図である。
【図２】本発明の第２実施形態に係る増幅装置の構成を示すブロック図である。
【図３】本発明の第３実施形態に係る増幅装置の構成を示すブロック図である。
【図４】本発明の第４実施形態に係る増幅装置の構成を示すブロック図である。
【発明を実施するための形態】
【００１０】
本発明の好ましい実施形態について、図面を参照しながら詳細に説明する。
【００１１】
〔第１実施形態〕
初めに、本発明の第１実施形態による増幅装置について、説明する。図１は、本発明の第１実施形態に係る増幅装置の構成を示すブロック図である。本実施形態では、系統数が２ｎ（ｎは１以上の整数）の送信機に用いられる増幅装置の場合で説明する。
【００１２】
本実施形態による増幅装置は複数の高周波増幅器１１を有する。１番目の高周波増幅器１１１は、１番目の入力端子ＩＮ１と１番目の出力端子ＯＵＴ１との間に挿入された増幅器の一例としての１番目の増幅器１２１を有する。さらに、高周波増幅器１１１は、１番目の増幅器１２１の信号経路に接続された高周波部品の一例としての１番目の出力段サーキュレータ１３１を有する。この出力段サーキュレータ１３１は、増幅器１２１の出力に接続された入力端子、１番目の出力端子ＯＵＴ１に接続された出力端子、及び終端用端子を備えている。さらに、高周波増幅器１１１は、１番目の出力段サーキュレータ１３１の終端用端子に接続された１番目の減衰器１４１を有する。
【００１３】
さらに、本実施形態による増幅装置を構成する２番目の高周波増幅器１１２は、２番目の入力端子ＩＮ２と２番目の出力端子ＯＵＴ２との間に挿入された増幅器の一例としての２番目の増幅器１２２を有する。さらに、高周波増幅器１１２は、２番目の増幅器１２２の信号経路に接続された高周波部品の一例としての２番目の出力段サーキュレータ１３２を有する。この出力段サーキュレータ１３２は、増幅器１２２の出力に接続された入力端子、２番目の出力端子ＯＵＴ２に接続された出力端子、及び終端用端子を備えている。さらに、高周波増幅器１１２は、２番目の出力段サーキュレータ１３２の終端用端子に接続された１番目の減衰器１４１を有する。
【００１４】
１番目の減衰器１４１は、１番目のサーキュレータ１３１の終端用端子及び２番目のサーキュレータ１３２の終端用端子に接続されている。言い換えると、本実施形態では、隣接する１番目の高周波増幅器１１１と２番目の高周波増幅器１１２とで、１番目のサーキュレータ１３１と２番目のサーキュレータ１３２に接続される減衰器を共用している。この１番目の減衰器１４１は、１番目の高周波増幅器１１１と２番目の高周波増幅器１１２との間に配置されている。
【００１５】
さらに、本実施形態による増幅装置を構成する（２ｎ−１）番目の高周波増幅器１１２ｎ−１は、（２ｎ−１）番目の入力端子ＩＮ２ｎ−１と（２ｎ−１）番目の出力端子ＯＵＴ２ｎ−１との間に挿入された増幅器の一例としての（２ｎ−１）番目の増幅器１２２ｎ−１を有する。さらに高周波増幅器１１２ｎ−１は、（２ｎ−１）番目の増幅器１２２ｎ−１の信号経路に接続された高周波部品の一例としての（２ｎ−１）番目の出力段サーキュレータ１３２ｎ−１を有する。この出力段サーキュレータ１３２ｎ−１は、増幅器１２２ｎ−１の出力に接続された入力端子、（２ｎ−１）番目の出力端子ＯＵＴ２ｎ−１に接続された出力端子、及び終端用端子を備えている。さらに高周波増幅器１１２ｎ−１は、（２ｎ−１）番目の出力段サーキュレータ１３２ｎ−１の終端用端子に接続された（２ｎ−１）番目の減衰器１４２ｎ−１を有する。
【００１６】
さらに、本実施形態による増幅装置を構成する（２ｎ）番目の高周波増幅器１１２ｎは、（２ｎ）番目の入力端子ＩＮ２ｎと（２ｎ）番目の出力端子ＯＵＴ２ｎとの間に挿入された増幅器の一例としての（２ｎ）番目の増幅器１２２ｎを有する。さらに高周波増幅器１１２ｎは、（２ｎ）番目の増幅器１２２ｎの信号経路に接続された高周波部品の一例としての（２ｎ）番目の出力段サーキュレータ１３２ｎを有する。この出力段サーキュレータ１３２ｎは、増幅器１２２ｎの出力に接続された入力端子、（２ｎ）番目の出力端子ＯＵＴ２ｎに接続された出力端子、及び終端用端子を備えている。さらに高周波増幅器１１２ｎは、（２ｎ）番目の出力段サーキュレータ１３２ｎの終端用端子に接続された（２ｎ−１）番目の減衰器１４２ｎ−１を有する。
【００１７】
（２ｎ−１）番目の減衰器１４２ｎ−１は、（２ｎ−１）番目のサーキュレータ１３２ｎ−１の終端用端子及び（２ｎ）番目のサーキュレータ１３２ｎの終端用端子に接続されている。言い換えると、本実施形態では、隣接する（２ｎ−１）番目の高周波増幅器１１２ｎ−１と（２ｎ）番目の高周波増幅器１１２ｎとで、（２ｎ−１）番目のサーキュレータ１３２ｎ−１と（２ｎ）番目のサーキュレータ１３２ｎに接続される減衰器を共用している。この（２ｎ−１）番目の減衰器１４２ｎ−１は、（２ｎ−１）番目の高周波増幅器１１２ｎ−１と（２ｎ）番目の高周波増幅器１１２ｎとの間に配置されている。
【００１８】
次に、このような増幅装置の動作について説明する。図１に示される高周波増幅器１１１、１１２、…、１１２ｎ−１、１１２ｎの入力端子ＩＮ１、ＩＮ２、…、ＩＮ２ｎ−１、ＩＮ２ｎに入力された高周波信号はそれぞれ増幅器１２１、１２２、…、１２２ｎ−１、１２２ｎにて増幅される。さらに増幅器１２１、１２２、…、１２２ｎ−１、１２２ｎの出力は、出力段サーキュレータ１３１、１３２、…、１３２ｎ−１、１３２ｎを通った後、出力端子ＯＵＴ１、ＯＵＴ２、…、ＯＵＴ２ｎ−１、ＯＵＴ２ｎから出力される。例えば、出力端子にアンテナが接続されている場合には、出力端子ＯＵＴ１、ＯＵＴ２、…、ＯＵＴ２ｎ−１、ＯＵＴ２ｎからの出力信号はアンテナからそれぞれ送信される。
【００１９】
出力端子ＯＵＴ１、ＯＵＴ２、…、ＯＵＴ２ｎ−１、ＯＵＴ２ｎに接続される外部構成と高周波増幅器間に高周波的な不整合がある場合、高周波信号の一部が出力端子で反射され出力段サーキュレータ１３１、１３２、…、１３２ｎ−１、１３２ｎに戻ってくる。この戻ってきた信号は、サーキュレータ１３１、１３２、…、１３２ｎ−１、１３２ｎを通った後、減衰器１４１、…、１４２ｎ−１に入力され減衰する。
【００２０】
この一連の動作は、図１の複数の高周波増幅器にて独立に実現しうる。例えば、図１において１番目の高周波増幅器１１１において増幅された信号の一部が出力端子で反射されて１番目の出力段サーキュレータ１３１を通じて１番目及び２番目の出力段サーキュレータに接続された１番目の減衰器１４１で減衰されることを、第１事象とする。さらに、２番目の高周波増幅器１１２において増幅された信号の一部が出力端子で反射されて２番目の出力段サーキュレータ１３２を通じて１番目及び２番目の出力段サーキュレータに接続された減衰器１４１で減衰されることを、第２事象とする。この第１事象と第２事象とは同時に起こっても良いし、別々に起こっても良い。
【００２１】
１番目の高周波増幅器１１１で増幅される高周波信号と２番目の高周波増幅器１１２で増幅される高周波信号の間に何らかの相関があっても良いし、無相関であっても良い。減衰器１４１、…、１４２ｎ−１の減衰量としては１０ｄＢ以上あれば、高周波増幅器出力端から見込んだリターンロス特性として十分な特性が得られる。さらに、減衰器を共用している高周波増幅器間での高周波的分離が特別に必要な場合には、減衰器の減衰量を大きく、例えば３０ｄＢと、すれば良い。
【００２２】
本実施形態による増幅装置によれば、出力段にサーキュレータ１３を具備し、その終端用端子に減衰器１４が配置されると共に、減衰器１４を複数の高周波増幅器１１で共用している。これにより、高周波増幅器１１を複数有し、複数の送信系統を備えた送信機に用いられる場合であっても、部品の点数の増大を抑制し、装置の小型化を図ることができる。特に隣接する高周波増幅器１１間で減衰器１４を共用しているので、高周波増幅器１１を複数有する増幅装置の寸法をより一層小さくすることができる。
【００２３】
〔第２実施形態〕
次に、本発明の第２実施形態による増幅装置について、説明する。図２は、本発明の第２実施形態に係る増幅装置の構成を示すブロック図である。本実施形態は、高周波増幅器が分配器と合成器を有し、入出力のインピーダンスを広帯域に改善するハイブリッド型増幅器に適用した場合である。本実施形態でも、系統数が２ｎ（ｎは１以上の整数）の送信機に用いられる増幅装置の場合で説明する。図２は、複数の高周波増幅器によって構成される増幅装置のうち、（２ｎ−１）番目の高周波増幅器と（２ｎ）番目の高周波増幅器の部分を抽出した例を示す。
【００２４】
本実施形態による増幅装置は複数の高周波増幅器２１を有する。（２ｎ−１）番目の高周波増幅器２１２ｎ−１は、増幅装置を構成する。（２ｎ−１）番目の高周波増幅器２１２ｎ−１は、（２ｎ−１）番目の入力端子ＩＮ２ｎ−１と（２ｎ−１）番目の出力端子ＯＵＴ２ｎ−１との間に挿入された（２ｎ−１）番目の増幅器を有する。（２ｎ−１）番目の増幅器の一例として、（２ｎ−１）番目の第１アンプ２４２ｎ−１及び（２ｎ−１）番目の第２アンプ２５２ｎ−１を有する。さらに高周波増幅器２１２ｎ−１は、（２ｎ−１）番目の増幅器の信号経路に接続された高周波部品の一例としての（２ｎ−１）番目の出力段サーキュレータ２８２ｎ−１を有する。出力段サーキュレータ２８２ｎ−１は、合成器２６２ｎ−１の出力に接続された入力端子、（２ｎ−１）番目の出力端子ＯＵＴ２ｎ−１に接続された出力端子、及び終端用端子を備える。さらに高周波増幅器２１２ｎ−１は、（２ｎ−１）番目の出力段サーキュレータ２８２ｎ−１の終端用端子に接続された（２ｎ−１）番目の減衰器２９２ｎ−１を有する。
【００２５】
さらに高周波増幅器２１２ｎ−１は、（２ｎ−１）番目の増幅器の信号経路に接続された高周波部品の一例としての、（２ｎ−１）番目の分配器２２２ｎ−１及び（２ｎ−１）番目の合成器２６２ｎ−１を有する。さらに高周波増幅器２１２ｎ−１は、（２ｎ−１）番目の分配器２２２ｎ−１に接続された（２ｎ−１）番目の減衰器２３２ｎ−１と、（２ｎ−１）番目の合成器２６２ｎ−１に接続された（２ｎ−１）番目の減衰器２７２ｎ−１とを有する。
【００２６】
さらに、本実施形態による増幅装置を構成する（２ｎ）番目の高周波増幅器２１２ｎは、（２ｎ）番目の入力端子ＩＮ２ｎと（２ｎ）番目の出力端子ＯＵＴ２ｎとの間に挿入された（２ｎ）番目の増幅器を有する。（２ｎ）番目の増幅器の一例として、（２ｎ）番目の第１アンプ２４２ｎ及び（２ｎ）番目の第２アンプ２５２ｎを有する。さらに高周波増幅器２１２ｎは、（２ｎ）番目の増幅器の信号経路に接続された高周波部品の一例としての（２ｎ）番目の出力段サーキュレータ２８２ｎを有する。出力段サーキュレータ２８２ｎは、合成器２６２ｎの出力に接続された入力端子、（２ｎ）番目の出力端子ＯＵＴ２ｎに接続された出力端子、及び終端用端子を備える。さらに高周波増幅器２１２ｎは、（２ｎ）番目の出力段サーキュレータ２８２ｎの終端用端子に接続された（２ｎ−１）番目の減衰器２９２ｎ−１を有する。
【００２７】
さらに、本実施形態による増幅装置は、（２ｎ）番目の増幅器の信号経路に接続された高周波部品の一例としての、（２ｎ）番目の分配器２２２ｎ及び（２ｎ）番目の合成器２６２ｎを有する。さらに、本実施形態による増幅装置は、（２ｎ）番目の分配器２２２ｎに接続された（２ｎ−１）番目の減衰器２３２ｎ−１と、（２ｎ）番目の合成器２６２ｎに接続された（２ｎ−１）番目の減衰器２７２ｎ−１とを有する。
【００２８】
（２ｎ−１）番目の減衰器２９２ｎ−１は、（２ｎ−１）番目のサーキュレータ２８２ｎ−１の終端用端子及び（２ｎ）番目のサーキュレータ２８２ｎの終端用端子に接続されている。言い換えると、隣接する（２ｎ−１）番目の高周波増幅器２１２ｎ−１と（２ｎ）番目の高周波増幅器２１２ｎとで、（２ｎ−１）番目のサーキュレータ２８２ｎ−１と（２ｎ）番目のサーキュレータ２８２ｎに接続される減衰器を共用している。この（２ｎ−１）番目の減衰器２９２ｎ−１は、（２ｎ−１）番目の高周波増幅器２１２ｎ−１と（２ｎ）番目の高周波増幅器２１２ｎとの間に配置されている。
【００２９】
（２ｎ−１）番目の減衰器２３２ｎ−１は、（２ｎ−１）番目の分配器２２２ｎ−１及び（２ｎ）番目の分配器２２２ｎに接続されている。言い換えると、隣接する（２ｎ−１）番目の高周波増幅器２１２ｎ−１と（２ｎ）番目の高周波増幅器２１２ｎとで、（２ｎ−１）番目の減衰器２３２ｎ−１を共用している。この（２ｎ−１）番目の減衰器２３２ｎ−１は、（２ｎ−１）番目の高周波増幅器２１２ｎ−１と（２ｎ）番目の高周波増幅器２１２ｎとの間に配置されている。
【００３０】
さらに、（２ｎ−１）番目の減衰器２７２ｎ−１は、（２ｎ−１）番目の合成器２６２ｎ−１及び（２ｎ）番目の合成器２６２ｎに接続されている。言い換えると、隣接する（２ｎ−１）番目の高周波増幅器２１２ｎ−１と（２ｎ）番目の高周波増幅器２１２ｎとで、（２ｎ−１）番目の減衰器２７２ｎ−１を共用している。この（２ｎ−１）番目の減衰器２７２ｎ−１は、（２ｎ−１）番目の高周波増幅器２１２ｎ−１と（２ｎ）番目の高周波増幅器２１２ｎとの間に配置されている。
【００３１】
次に、このような増幅装置の動作について説明する。図２に示される高周波増幅器２１２ｎ−１、２１２ｎの入力端子ＩＮ２ｎ−１、ＩＮ２ｎに入力された高周波信号は、入力信号を分配する（２ｎ−１）番目の分配器２２２ｎ−１及び（２ｎ）番目の分配器２２２ｎで分配される。分配された信号は、それぞれ第１アンプ２４２ｎ−１及び第２アンプ２５２ｎ−１、第１アンプ２４２ｎ及び第２アンプ２５２ｎで増幅され、合成器２６２ｎ−１及び合成器２６２ｎでそれぞれ合成される。さらに、出力段サーキュレータ２８２ｎ−１、２８２ｎを通った後、出力端子ＯＵＴ２ｎ−１、ＯＵＴ２ｎから出力される。出力端子にアンテナが接続されている場合には、出力端子ＯＵＴ２ｎ−１、ＯＵＴ２ｎからの出力信号はアンテナからそれぞれ送信される。
【００３２】
出力端子ＯＵＴ２ｎ−１、ＯＵＴ２ｎに接続される外部構成と高周波増幅器間に高周波的な不整合がある場合、高周波信号の一部が出力端子で反射され出力段サーキュレータ２８２ｎ−１、２８２ｎに戻ってくる。この戻ってきた信号は、サーキュレータ２８２ｎ−１、２８２ｎを通った後、減衰器２９２ｎ−１に入力され減衰する。
【００３３】
本実施形態による増幅装置によれば、第１実施形態と同様に、出力段にサーキュレータ２８を具備し、その終端用端子に減衰器２９が配置されると共に、減衰器２９を複数の高周波増幅器２１で共用している。これにより、高周波増幅器２１を複数有し、複数の送信系統を備えた送信機に用いられる場合であっても、部品の点数の増大を抑制し、装置の小型化を図ることができる。特に隣接する高周波増幅器２１間で減衰器２９を共用しているので、高周波増幅器２１を複数有する送信機の寸法をより一層小さくすることができる。
【００３４】
さらに、本実施形態では、隣接する高周波増幅器２１間で分配器２２２ｎ−１と分配器２２２ｎとに接続される減衰器を共用しており、合成器２６２ｎ−１と合成器２６２ｎとに接続される減衰器を共用している。これにより、高周波増幅器が分配器と合成器を有するハイブリッド型増幅器において、増幅装置の寸法をより一層小さくすることができる。
【００３５】
〔第３実施形態〕
次に、本発明の第３実施形態による増幅装置について、説明する。図３は、本発明の第３実施形態に係る増幅装置の構成を示すブロック図である。本実施形態は、各高周波増幅器がドハティ型増幅器である増幅装置に適用した場合である。本実施形態でも、系統数がｎ（ｎは１以上の整数）の増幅装置の場合で説明する。図３でも、複数の高周波増幅器によって構成される増幅装置のうち（２ｎ−１）番目の高周波増幅器と（２ｎ）番目の高周波増幅器部分を抽出した例を示す。本実施形態では、系統数が２ｎ（ｎは１以上の整数）の送信機に用いられる増幅装置の場合で説明する。図３は、複数の高周波増幅器によって構成される増幅装置のうち（２ｎ−１）番目の高周波増幅器と（２ｎ）番目の高周波増幅器部分を抽出した例を示す。
【００３６】
電力増幅器の高効率化の一つとして、ドハティ増幅器が採用される。ドハティ増幅器は、入力信号の大小に関わらず常時信号増幅動作を行うキャリア増幅器と、入力信号が大きくなり大電力出力動作時のみに信号増幅動作を行うピーク増幅器とを含む。入力信号をキャリア増幅器側とピーク増幅器側とに分配し、キャリア増幅器とピーク増幅器との出力を合成して出力するようになっている。
【００３７】
本実施形態による増幅装置は複数の高周波増幅器３１を有する。増幅装置を構成する（２ｎ−１）番目の高周波増幅器３１２ｎ−１は、（２ｎ−１）番目の入力端子ＩＮ２ｎ−１と（２ｎ−１）番目の出力端子ＯＵＴ２ｎ−１との間に挿入された増幅器を有する。この増幅器の一例として、（２ｎ−１）番目の第１ピークアンプ３４２ｎ−１及び（２ｎ−１）番目の第１キャリヤアンプ３５２ｎ−１を有する。さらに高周波増幅器３１２ｎ−１は、（２ｎ−１）番目の位相調整器３６２ｎ−１を有する。さらに高周波増幅器３１２ｎ−１は、（２ｎ−１）番目のインピーダンス変換器３７２ｎ−１を有する。
【００３８】
さらに高周波増幅器３１２ｎ−１は、（２ｎ−１）番目の増幅器の信号経路に接続された高周波部品の一例としての、（２ｎ−１）番目の出力段サーキュレータ３８２ｎ−１を有する。この出力段サーキュレータ３８２ｎ−１は、インピーダンス変換器３７２ｎ−１の出力に接続された入力端子、（２ｎ−１）番目の出力端子ＯＵＴ２ｎ−１に接続された出力端子、及び終端用端子を備える。さらに高周波増幅器３１２ｎ−１は、（２ｎ−１）番目の出力段サーキュレータ３８２ｎ−１の終端用端子に接続された（２ｎ−１）番目の減衰器３９２ｎ−１を有する。さらに高周波増幅器３１２ｎ−１は、（２ｎ−１）番目の増幅器の信号経路に接続された高周波部品の一例としての、（２ｎ−１）番目の９０度ハイブリッド分配器３２２ｎ−１を有する。さらに高周波増幅器３１２ｎ−１は、（２ｎ−１）番目の９０度ハイブリッド分配器３２２ｎ−１に接続された減衰器３３２ｎ−１を有する。
【００３９】
さらに、本実施形態による増幅装置を構成する（２ｎ）番目の高周波増幅器３１２ｎは、（２ｎ）番目の入力端子ＩＮ２ｎと（２ｎ）番目の出力端子ＯＵＴ２ｎとの間に挿入された増幅器を有する。この増幅器の一例として、（２ｎ）番目の第１ピークアンプ３４２ｎ、及び（２ｎ）番目の第１キャリヤアンプ３５２ｎを有する。さらに高周波増幅器３１２ｎは、（２ｎ）番目の位相調整器３６２ｎを有する。さらに高周波増幅器３１２ｎは、（２ｎ）番目のインピーダンス変換器３７２ｎを有する。
【００４０】
さらに高周波増幅器３１２ｎは、（２ｎ）番目の増幅器の信号経路に接続された高周波部品の一例としての、（２ｎ）番目の出力段サーキュレータ３８２ｎを有する。この出力段サーキュレータ３８２ｎは、インピーダンス変換器３７２ｎの出力に接続された入力端子、（２ｎ）番目の出力端子ＯＵＴ２ｎに接続された出力端子、及び終端用端子を備える。さらに高周波増幅器３１２ｎは、（２ｎ）番目の出力段サーキュレータ３８２ｎの終端用端子に接続された（２ｎ）番目の減衰器３９２ｎ−１を有する。さらに高周波増幅器３１２ｎは、（２ｎ）番目の増幅器の信号経路に接続された高周波部品の一例としての、（２ｎ）番目の９０度ハイブリッド分配器３２２ｎを有する。さらに高周波増幅器３１２ｎは、（２ｎ）番目の９０度ハイブリッド分配器３２２ｎに接続された減衰器３３２ｎ−１を有する。
【００４１】
（２ｎ−１）番目の減衰器３９２ｎ−１は、（２ｎ−１）番目のサーキュレータ３８２ｎ−１の終端用端子及び（２ｎ）番目のサーキュレータ３８２ｎの終端用端子に接続されている。言い換えると、隣接する（２ｎ−１）番目の高周波増幅器３１２ｎ−１と（２ｎ）番目の高周波増幅器３１２ｎとで、（２ｎ−１）番目のサーキュレータ３８２ｎ−１と（２ｎ）番目のサーキュレータ３８２ｎに接続される減衰器を共用している。この（２ｎ−１）番目の減衰器３９２ｎ−１は、（２ｎ−１）番目の高周波増幅器３１２ｎ−１と（２ｎ）番目の高周波増幅器３１２ｎとの間に配置されている。
【００４２】
（２ｎ−１）番目の減衰器３３２ｎ−１は、（２ｎ−１）番目の分配器３２２ｎ−１及び（２ｎ）番目の分配器３２２ｎに接続されている。言い換えると、隣接する（２ｎ−１）番目の高周波増幅器３１２ｎ−１と（２ｎ）番目の高周波増幅器３１２ｎとで、（２ｎ−１）番目の減衰器３３２ｎ−１を共用している。この（２ｎ−１）番目の減衰器３３２ｎ−１は、（２ｎ−１）番目の高周波増幅器３１２ｎ−１と（２ｎ）番目の高周波増幅器３１２ｎとの間に配置されている。
【００４３】
ここで、本実施形態では図３に示すように、キャリヤアンプ３５２ｎ−１をピークアンプ３４２ｎ−１よりも、減衰器を共有する相手方の増幅器に物理的に近い側に配置している。さらに図３に示すように、キャリヤアンプ３５２ｎをピークアンプ３４２ｎよりも、減衰器を共有する相手方の増幅器に物理的に近い側に配置している。言い換えると、キャリヤアンプ３５２ｎ−１とキャリヤアンプ３５２ｎとが近接するように、それぞれの増幅器の中でキャリヤアンプ３５２ｎ−１とキャリヤアンプ３５２ｎとを配置している。
【００４４】
次に、このような増幅装置の動作について説明する。図３に示される高周波増幅器３１２ｎ−１、３１２ｎの入力端子ＩＮ２ｎ−１、ＩＮ２ｎに入力された高周波信号は、入力信号を分配する９０度ハイブリッド分配器３２２ｎ−１及び９０度ハイブリッド分配器３２２ｎで分配される。分配された信号は、それぞれ第１ピークアンプ３４２ｎ−１、第１キャリヤアンプ３５２ｎ−１、第２ピークアンプ３４２ｎ及び第２キャリヤアンプ３５２ｎで増幅される。さらに、第１キャリヤアンプ３５２ｎ−１の出力は位相調整器３６２ｎ−１で位相調整され、第２キャリヤアンプ３５２ｎの出力は位相調整器３６２ｎで位相調整される。そしてそれぞれインピーダンス変換器３７２ｎ−１及びインピーダンス変換器３７２ｎに供給されて合成される。さらに、出力段サーキュレータ３８２ｎ−１、３８２ｎを通った後、出力端子ＯＵＴ２ｎ−１、ＯＵＴ２ｎから出力される。
【００４５】
出力端子ＯＵＴ２ｎ−１、ＯＵＴ２ｎに接続される外部構成と高周波増幅器間に高周波的な不整合がある場合、高周波信号の一部が出力端子で反射され出力段サーキュレータ３８２ｎ−１、３８２ｎに戻ってくる。この戻ってきた信号は、サーキュレータ３８２ｎ−１、３８２ｎを通った後、減衰器３９２ｎ−１に入力され減衰する。
【００４６】
本実施形態による増幅装置によれば、第１実施形態や第２実施形態と同様に、出力段にサーキュレータ３８を具備し、その終端用端子に減衰器３９が配置されると共に、減衰器３９を複数の高周波増幅器３１で共用している。これにより、高周波増幅器３１を複数有し、複数の送信系統を備えた送信機に用いられる場合であっても、部品の点数の増大を抑制し、装置の小型化を図ることができる。特に隣接する高周波増幅器３１間で減衰器３９を共用しているので、高周波増幅器３１を複数有する増幅装置の寸法をより一層小さくすることができる。
【００４７】
さらに、本実施形態では、隣接する高周波増幅器３１間で９０度ハイブリッド分配器３２２ｎ−１と９０度ハイブリッド分配器３２２ｎとに接続される減衰器３３２ｎ−１を共用している。これにより、分配器を有する高周波増幅器において、寸法をより一層小さくすることができる。
【００４８】
さらに、本実施形態では図３に示すように、キャリヤアンプ３５２ｎ−１をピークアンプ３４２ｎ−１よりも、減衰器を共有する相手方の増幅器に物理的に近い側に配置している。さらに図３に示すように、キャリヤアンプ３５２ｎをピークアンプ３４２ｎよりも、減衰器を共有する相手方の増幅器に物理的に近い側に配置している。言い換えると、キャリヤアンプ３５２ｎ−１とキャリヤアンプ３５２ｎとが近接するように、それぞれの増幅器の中でキャリヤアンプ３５２ｎ−１とキャリヤアンプ３５２ｎとを配置している。これにより、減衰器を共用する際の部品配置を容易にできる。
【００４９】
〔第４実施形態〕
次に、本発明の第４実施形態による増幅装置について、説明する。図４は、本発明の第４実施形態に係る増幅装置の構成を示すブロック図である。本実施形態は、各高周波増幅器がインバーティッドドハティ型増幅器である増幅装置に適用した場合である。本実施形態でも、系統数が２ｎ（ｎは１以上の整数）の送信機に用いられる増幅装置の場合で説明する。図４は、複数の高周波増幅器によって構成される増幅装置のうち（２ｎ−１）番目の高周波増幅器と（２ｎ）番目の高周波増幅器部分を抽出した例を示す。
【００５０】
インバーティッドドハティ型増幅器は、ドハティ増幅器のキャリア増幅器とピーク増幅器の配置を入れ替えたものであり、ドハティ増幅器と同様の動作をする。インバーティッドドハティ型増幅器では、ドハティ増幅器が動作する周波数帯域を広帯域化することもできる。
【００５１】
本実施形態による増幅装置は複数の高周波増幅器４１を有する。増幅装置を構成する（２ｎ−１）番目の高周波増幅器４１２ｎ−１は、（２ｎ−１）番目の入力端子ＩＮ２ｎ−１と（２ｎ−１）番目の出力端子ＯＵＴ２ｎ−１との間に挿入された増幅器を有する。この増幅器の一例として、（２ｎ−１）番目の第１ピークアンプ４４２ｎ−１を有する。さらに高周波増幅器４１２ｎ−１は、（２ｎ−１）番目の第１キャリヤアンプ４５２ｎ−１を有する。さらに高周波増幅器４１２ｎ−１は、（２ｎ−１）番目の位相調整器４６２ｎ−１を有する。さらに高周波増幅器４１２ｎ−１は、（２ｎ−１）番目のインピーダンス変換器４７２ｎ−１を有する。
【００５２】
さらに高周波増幅器４１２ｎ−１は、（２ｎ−１）番目の増幅器の信号経路に接続された高周波部品の一例としての、（２ｎ−１）番目の出力段サーキュレータ４８２ｎ−１を有する。出力段サーキュレータ４８２ｎ−１は、インピーダンス変換器４７２ｎ−１の出力に接続された入力端子、（２ｎ−１）番目の出力端子ＯＵＴ２ｎ−１に接続された出力端子、及び終端用端子を備える。さらに高周波増幅器４１２ｎ−１は、（２ｎ−１）番目の出力段サーキュレータ４８２ｎ−１の終端用端子に接続された（２ｎ−１）番目の減衰器４９２ｎ−１を有する。さらに高周波増幅器４１２ｎ−１は、（２ｎ−１）番目の増幅器の信号経路に接続された高周波部品の一例としての、（２ｎ−１）番目の９０度ハイブリッド分配器４２２ｎ−１を有する。さらに高周波増幅器４１２ｎ−１は、（２ｎ−１）番目の９０度ハイブリッド分配器４２２ｎ−１に接続された減衰器４３２ｎ−１を有する。
【００５３】
さらに、本実施形態による増幅装置を構成する（２ｎ）番目の高周波増幅器４１２ｎは、（２ｎ）番目の入力端子ＩＮ２ｎと（２ｎ）番目の出力端子ＯＵＴ２ｎとの間に挿入された増幅器を有する。この増幅器の一例として、（２ｎ）番目の第１ピークアンプ４４２ｎを有する。さらに高周波増幅器４１２ｎは、（２ｎ）番目の第１キャリヤアンプ４５２ｎを有する。さらに高周波増幅器４１２ｎは、（２ｎ）番目の位相調整器４６２ｎを有する。さらに高周波増幅器４１２ｎは、（２ｎ）番目のインピーダンス変換器４７２ｎを有する。
【００５４】
さらに高周波増幅器４１２ｎは、（２ｎ）番目の増幅器の信号経路に接続された高周波部品の一例としての、（２ｎ）番目の出力段サーキュレータ４８２ｎを有する。出力段サーキュレータ４８２ｎは、インピーダンス変換器４７２ｎの出力に接続された入力端子、（２ｎ）番目の出力端子ＯＵＴ２ｎに接続された出力端子、及び終端用端子を備える。さらに高周波増幅器４１２ｎは、（２ｎ）番目の出力段サーキュレータ４８２ｎの終端用端子に接続された（２ｎ−１）番目の減衰器４９２ｎ−１を有する。さらに高周波増幅器４１２ｎは、（２ｎ）番目の増幅器の信号経路に接続された高周波部品の一例としての、（２ｎ）番目の９０度ハイブリッド分配器４２２ｎを有する。さらに高周波増幅器４１２ｎは、（２ｎ）番目の９０度ハイブリッド分配器４２２ｎに接続された減衰器４３２ｎ−１を有する。
【００５５】
さらに、本実施形態による増幅装置では、第１実施形態乃至第３実施形態と同様に、（２ｎ−１）番目のサーキュレータ４８２ｎ−１の終端用端子と（２ｎ）番目のサーキュレータ４８２ｎの終端用端子とに共通に接続された（２ｎ−１）番目の減衰器４９２ｎ−１を有する。この（２ｎ−１）番目の減衰器４９２ｎ−１は、（２ｎ−１）番目の高周波増幅器４１２ｎ−１と（２ｎ）番目の高周波増幅器４１２ｎとの間に配置されている。言い換えると、本実施形態では、隣接する（２ｎ−１）番目の高周波増幅器４１２ｎ−１と（２ｎ）番目の高周波増幅器４１２ｎとで、（２ｎ−１）番目のサーキュレータ４８２ｎ−１と（２ｎ）番目のサーキュレータ４８２ｎに接続される減衰器を共用している。
【００５６】
さらに、本実施形態では、（２ｎ−１）番目の９０度ハイブリッド分配器４２２ｎ−１と（２ｎ）番目の９０度ハイブリッド分配器４２２ｎとに共通に接続された（２ｎ−１）番目の減衰器４３２ｎ−１を有する。この減衰器４３２ｎ−１は、（２ｎ−１）番目の高周波増幅器４１２ｎ−１と（２ｎ）番目の高周波増幅器４１２ｎとの間に配置されている。言い換えると、本実施形態では、隣接する（２ｎ−１）番目の高周波増幅器４１２ｎ−１と（２ｎ）番目の高周波増幅器４１２ｎとで、９０度ハイブリッド分配器４２２ｎ−１と９０度ハイブリッド分配器４２２ｎとに接続される減衰器を共用している。
【００５７】
ここで、本実施形態では図４に示すように、キャリヤアンプ４５２ｎ−１をピークアンプ４４２ｎ−１よりも、減衰器を共有する相手方の増幅器に物理的に近い側に配置している。さらに図４に示すように、キャリヤアンプ４５２ｎをピークアンプ４４２ｎよりも、減衰器を共有する相手方の増幅器に物理的に近い側に配置している。言い換えると、キャリヤアンプ４５２ｎ−１とキャリヤアンプ４５２ｎとが近接するように、それぞれの増幅器の中でキャリヤアンプ４５２ｎ−１とキャリヤアンプ４５２ｎとを配置している。
【００５８】
次に、このような増幅装置の動作について説明する。図４に示される高周波増幅器４１２ｎ−１、４１２ｎの入力端子ＩＮ２ｎ−１、ＩＮ２ｎに入力された高周波信号は、入力信号を分配する９０度ハイブリッド分配器４２２ｎ−１及び９０度ハイブリッド分配器４２２ｎで分配される。分配された信号は、それぞれ第１ピークアンプ４４２ｎ−１、第１キャリヤアンプ４５２ｎ−１、第２ピークアンプ４４２ｎ及び第２キャリヤアンプ４５２ｎで増幅される。さらに、第１ピークアンプ４４２ｎ−１の出力は位相調整器４６２ｎ−１で位相調整され、第２ピークアンプ４４２ｎの出力は位相調整器４６２ｎで位相調整される。そしてそれぞれインピーダンス変換器４７２ｎ−１及びインピーダンス変換器４７２ｎに供給されて合成される。さらに、出力段サーキュレータ４８２ｎ−１、４８２ｎを通った後、出力端子ＯＵＴ２ｎ−１、ＯＵＴ２ｎから出力される。
【００５９】
出力端子ＯＵＴ２ｎ−１、ＯＵＴ２ｎに接続される外部構成と高周波増幅器間に高周波的な不整合がある場合、高周波信号の一部が出力端子で反射され出力段サーキュレータ４８２ｎ−１、４８２ｎに戻ってくる。この戻ってきた信号は、サーキュレータ４８２ｎ−１、４８２ｎを通った後、減衰器４９２ｎ−１に入力され減衰する。
【００６０】
本実施形態による増幅装置によれば、第１実施形態乃至第３実施形態と同様に、出力段にサーキュレータ４８を具備し、その終端用端子に減衰器４９が配置されると共に、減衰器４９を複数の高周波増幅器４１で共用している。これにより、高周波増幅器４１を複数有し、複数の送信系統を備えた送信機に用いられる場合であっても、部品の点数の増大を抑制し、装置の小型化を図ることができる。特に隣接する高周波増幅器４１間で減衰器４９を共用しているので、高周波増幅器４１を複数有する増幅装置の寸法をより一層小さくすることができる。
【００６１】
さらに、本実施形態では第３実施形態と同様に、隣接する高周波増幅器４１間で９０度ハイブリッド分配器４２２ｎ−１と９０度ハイブリッド分配器４２２ｎとに接続される減衰器を共用している。これにより、分配器を有する高周波増幅器において、送信機の寸法をより一層小さくすることができる。
【００６２】
さらに本実施形態では図４に示すように、キャリヤアンプ４５２ｎ−１をピークアンプ４４２ｎ−１よりも、減衰器を共有する相手方の増幅器に物理的に近い側に配置している。さらに図４に示すように、キャリヤアンプ４５２ｎをピークアンプ４４２ｎよりも、減衰器を共有する相手方の増幅器に物理的に近い側に配置している。言い換えると、キャリヤアンプ４５２ｎ−１とキャリヤアンプ４５２ｎとが近接するように、それぞれの増幅器の中でキャリヤアンプ４５２ｎ−１とキャリヤアンプ４５２ｎとを配置している。これにより、減衰器を共用する際の部品配置を容易にできる。
【００６３】
以上、本発明の好ましい実施形態について説明したが、本発明はこれに限定されるものではない。請求の範囲に記載した発明の範囲内で、種々の変形が可能であり、それらも本発明の範囲内に含まれるものであることは言うまでもない。例えば、以上の説明では減衰器を共用する高周波増幅器は（２ｎ−１）番目及び（２ｎ）番目の高周波増幅器としたが、（２ｎ）番目及び（２ｎ＋１）番目の高周波増幅器でも良い。また、隣り合っていない高周波増幅器同士で共用しても良い。また、本発明はその他のドハティ型増幅器、例えば非対称型ドハティ増幅器、３ウエイドハティ増幅器などのＮウェイ型のドハティ増幅器、に適用することも考えられる。
【００６４】
上記の実施形態の一部又は全部は、以下の付記のようにも記載されうるが、以下には限られない。
（付記１）複数の増幅器と、前記増幅器の信号経路にそれぞれ接続された高周波部品と、前記高周波部品に接続された減衰器とを有し、
前記減衰器は、複数の前記高周波部品に接続されている増幅装置。
（付記２）前記高周波部品は終端用端子を備え、前記減衰器は前記終端用端子を介して、前記高周波部品と接続している、付記１に記載の増幅装置。
（付記３）前記高周波部品は、サーキュレータ、分配器、及び合成器のうちの少なくとも一つである、付記１又は付記２に記載の増幅装置。
（付記４）前記減衰器は、前記複数の増幅器の間に配置されている、付記１乃至付記３のいずれか一つに記載の増幅装置。
（付記５）前記複数の増幅器が、第１増幅器及び第２増幅器を有し、
前記第１増幅器は、第１信号を入力して増幅する第１アンプと、第２信号を入力して増幅する第２アンプとを有し、
前記第２増幅器は、第３信号を入力して増幅する第３アンプと、第４信号を入力して増幅する第４アンプとを有し、
前記第１増幅器の信号経路に接続され、入力信号を前記第１信号及び前記第２信号に分配する第１分配器と、前記第１アンプの出力と前記第２アンプの出力とを合成する第１合成器と、
前記第２増幅器の信号経路に接続され、入力信号を前記第３信号及び前記第４信号に分配する第２分配器と、前記第３アンプの出力と前記第４アンプの出力とを合成する第２合成器とをさらに備える、付記１乃至付記４のいずれか一つに記載の増幅装置。
（付記６）前記第１分配器と前記第２分配器に接続された減衰器とをさらに有する、付記５に記載の増幅装置。
（付記７）前記第１合成器と前記第２合成器に接続された減衰器とをさらに有する、付記５に記載の増幅装置。
（付記８）前記複数の増幅器が、第１増幅器及び第２増幅器を有し、
前記第１増幅器は、第１信号を増幅する第１ピークアンプと、第２信号を増幅する第１キャリヤアンプとを有し、
前記第２増幅器は、第３信号を増幅する第２ピークアンプと、第４信号を増幅する第２キャリヤアンプとを有し、
前記第１増幅器の信号経路に接続され、入力信号を前記第１信号及び前記第２信号に分配する第１分配器と、前記第１キャリヤアンプの出力の位相を調整する第１位相調整器と、前記第１ピークアンプの出力と前記第１位相調整器の出力とを合成する第１インピーダンス変換器と、
前記第２増幅器の信号経路に接続され、入力信号を前記第３信号及び前記第４信号に分配する第２分配器と、前記第２キャリヤアンプの出力の位相を調整する第２位相調整器と、前記第２ピークアンプの出力と前記第２位相調整器の出力とを合成する第２インピーダンス変換器とをさらに備える、付記１乃至付記４のいずれか一つに記載の増幅装置。
（付記９）前記第１分配器と前記第２分配器に接続された減衰器とをさらに有する、付記８に記載の増幅装置。
（付記１０）前記第１キャリヤアンプは前記第１ピークアンプよりも、前記第２増幅器に近接して配置されており、前記第２キャリヤアンプは前記第２ピークアンプよりも、前記第１増幅器に近接して配置されている、付記８又は付記９に記載の増幅装置。
（付記１１）前記第１増幅器及び前記第２増幅器はドハティ増幅器である、付記８乃至付記１０のいずれか一つに記載の増幅装置。
（付記１２）前記複数の増幅器が、第１増幅器及び第２増幅器を有し、
前記第１増幅器は、第１信号を増幅する第１キャリヤアンプと、第２信号を増幅する第１ピークアンプとを有し、
前記第２増幅器は、第３信号を増幅する第２キャリヤアンプと、第４信号を増幅する第２ピークアンプとを有し、
前記第１増幅器の信号経路に接続され、入力信号を前記第１信号及び前記第２信号に分配する第１分配器と、前記第１ピークアンプの出力の位相を調整する第１位相調整器と、前記第１キャリヤアンプの出力と前記第１位相調整器の出力とを合成する第１インピーダンス変換器と、
前記第２増幅器の信号経路に接続され、入力信号を前記第３信号及び前記第４信号に分配する第２分配器と、前記第２ピークアンプの出力の位相を調整する第２位相調整器と、前記第２キャリヤアンプの出力と前記第２位相調整器の出力とを合成する第２インピーダンス変換器とをさらに備える、付記１乃至付記４のいずれか一つに記載の増幅装置。
（付記１３）前記第１分配器と前記第２分配器に接続された減衰器とをさらに有する、付記１２に記載の増幅装置。
（付記１４）前記第１ピークアンプは前記第１キャリヤアンプよりも、前記第２増幅器に近接して配置されており、前記第２ピークアンプは前記第２キャリヤアンプよりも、前記第１増幅器に近接して配置されている、付記１２又は付記１３に記載の増幅装置。
（付記１５）前記第１増幅器及び前記第２増幅器はインバーティッドドハティ増幅器である、付記１２乃至付記１４のいずれか一つに記載の増幅装置。
（付記１６）前記減衰器の減衰量は１０ｄＢ以上である、付記１乃至付記１５のいずれか一つに記載の増幅装置。
（付記１７）前記減衰器の減衰量は３０ｄＢ以上である、付記１乃至付記１５のいずれか一つに記載の増幅装置。
【００６５】
この出願は、２０１２年１２月５日に出願された日本出願特願２０１２−２６６２３１号を基礎とする優先権を主張し、その開示の全てをここに取り込む。
【産業上の利用可能性】
【００６６】
本発明の活用例として、無線通信用の高周波増幅器や送信機が考えられる。
【符号の説明】
【００６７】
１１１〜１１２ｎ    高周波増幅器
１２１〜１２２ｎ    増幅器
１３１〜１３２ｎ    出力段サーキュレータ
１４１〜１４２ｎ    減衰器
２１１〜２１２ｎ    高周波増幅器
２２２ｎ−１、２２２ｎ    分配器
２３２ｎ−１、２７２ｎ−１、２９２ｎ−１    減衰器
２４２ｎ−１、２４２ｎ、    第１アンプ
２５２ｎ−１、２５２ｎ    第２アンプ
２６２ｎ−１、２６２ｎ    合成器
２８２ｎ−１、２８２ｎ    出力段サーキュレータ
３１１〜３１２ｎ    高周波増幅器
３２２ｎ−１、３２２ｎ    ハイブリッド分配器
３３２ｎ−１、３９２ｎ−１    減衰器
３４２ｎ−１、３４２ｎ    ピークアンプ
３５２ｎ−１、３５２ｎ    キャリヤアンプ
３６２ｎ−１、３６２ｎ    位相調整器
３７２ｎ−１、３７２ｎ    インピーダンス変換器
３８２ｎ−１、３８２ｎ    出力段サーキュレータ
４１１、４１２ｎ    高周波増幅器
４２２ｎ−１、４２２ｎ    ハイブリッド分配器
４３２ｎ−１、４９２ｎ−１    減衰器
４４２ｎ−１、４４２ｎ    ピークアンプ
４５２ｎ−１、４５２ｎ    キャリヤアンプ
４６２ｎ−１、４６２ｎ    位相調整器
４７２ｎ−１、４７２ｎ    インピーダンス変換器
４８２ｎ−１、４８２ｎ    出力段サーキュレータ
【図１】
0006036847.tif 000002
【図２】
0006036847.tif 000003
【図３】
0006036847.tif 000004
【図４】
0006036847.tif 000005